(57)【要約】      （修正有）【課題】使用者の使用便利ならびに使用寿命の増加を達成するステッキ傘組を提供する。【解決手段】ステッキ１と傘２を備える。ステッキは接続部１１を有し、接続部の上方にはグリップ１２が接続されていて、接続部の下方には支持棒１３が延設され、接続部の外縁には弾性のワッシャー１４が嵌着され、傘はハンドル２１を有し、ハンドルの一側にはグリップ２２が設けられ、他側には傘生地２３が設けられ、かつハンドルとグリップの内部には収容空間２４が形成され、ステッキの支持棒は収容空間に取り付けられ、接続部の外縁のワッシャーが、ハンドルを収容する収容空間の内壁に支持されることにより、ステッキと傘とを結合させる。【選択図】図３
0003175167.tif 000002
【実用新案登録請求の範囲】
【請求項１】
ステッキ１と傘２を備えるステッキ傘組であって、
前記ステッキ１には接続部１１が設けられ、前記接続部１１の上方にはグリップ１２が接続され、前記接続部１１の下方には支持棒１３が延設され、前記接続部１１の外縁には弾性のワッシャー１４が嵌着されており、
前記傘２にはハンドル２１が設けられ、前記ハンドル２１の一側にはグリップ２２が設けられ、前記ハンドル２１が前記グリップ２２から離れる他側には傘生地２３が設けられ、前記ハンドル２１と前記グリップ２２の内部には収容空間２４が形成され、前記ステッキ１の前記支持棒１３は前記収容空間２４に取り付けられると共に、前記接続部１１の外縁の前記ワッシャー１４を前記グリップ２２に位置する前記収容空間２４の内壁に支持せしめるように構成したことを特徴とするステッキ傘組。
【請求項２】
前記ステッキ１の前記接続部１１の外縁の環状部には固定溝１１１が凹設され、前記ワッシャー１４を前記固定溝１１１の内部に固定するように構成したことを特徴とする、請求項１記載のステッキ傘組。
【請求項３】
前記傘２の前記グリップ２２が位置する前記収容空間２４の内壁は、前記ハンドル２１から離れる側に向かって、アーク面を形成しながら拡散することを特徴とする、請求項１記載のステッキ傘組。
【請求項４】
前記傘２の前記ハンドル２１の前記グリップ２２から離れる他側には、第２滑り止めパッド２５が接続されていることを特徴とする、請求項１記載のステッキ傘組。
【請求項５】
前記ステッキ１の前記支持棒１３の前記グリップ１２から離れる他側には、第１滑り止めパッド１５が接続されていることを特徴とする、請求項１記載のステッキ傘組。
【考案の詳細な説明】
【技術分野】
【０００１】
本考案はステッキ傘組に関し、特にステッキを傘に内蔵させ、緊密な組合せを構成することができ、使用者の収容が便利であるほか、防塵、防水効果を達成することができるステッキ傘組に関する。
【背景技術】
【０００２】
登山活動は、リクリエーション活動の一種であり、多くのシルバー層が好む摂生活動である。通常、傘は雨よけができるほか、ステッキとしても使える。年配者に一層の安全保障を提供できる。しかし、雨が降るとき、傘は雨よけ以外の機能はなく、支え効果を失うものである。雨よけ及び支え機能を備え合わせるためには、ステッキと傘を同時に携行しなければならず、極めて不便である。さらに、雨が降らないときは、傘の携行が邪魔となる。よって、業者より傘をステッキに結合させて、使用者の使用に備えるものが提供されている。公知技術のステッキ傘は、ステッキを傘のハンドル部に収容し、ステッキは、ハンドル内部の磁石によって吸着されている。
【考案の概要】
【考案が解決しようとする課題】
【０００３】
しかし、この種の技術は、以下の問題並び欠点がある。
【０００４】
イ、              ステッキとハンドルとの吸着は、磁石のみに頼っているため、密着して組み合わせる効果はない。よって、水分または粉塵がハンドル部に侵入しやすく、ハンドルとステッキの汚れまたは錆を発生し、ステッキ傘の使用寿命が短縮される。
【０００５】
ロ、              磁石に他の金属物質が付着しやすく、ステッキと傘との吸着効果を低下させ、使用者に不便をきたすほか、粉塵と水分がハンドル部に侵入し易くなる。
【０００６】
よって、公知技術の設計の不具合によって、ステッキ傘の寿命の短縮ならび使用不便の問題を解決することは、当業者が至急に検討する重要な課題である。
【課題を解決するための手段】
【０００７】
本考案は、ステッキと傘を結合すると共に、ステッキと傘との間の隙間が密着し、粉塵や水分の侵入によるステッキ傘のよごれを防止でき、使用者の使用便利ならびに使用寿命の増加効果を主な目的とする。
【０００８】
前述目的を達成するため、本考案のステッキ傘組は、ステッキと傘を備える。ステッキは接続部を有し、接続部の上方はグリップに接続していて、ステッキの下方は支持棒が延設され、接続部の外縁は弾性のワッシャーが嵌着され、傘はハンドルを有し、ハンドルの片側にはグリップが設けられ、た側は傘生地を設けていて、かつハンドルとグリップの内部には収容空間が内設され、ステッキの支持棒は収容空間に取り付けられ、接続部外縁のワッシャーは、ハンドルを収容する収容空間の内壁にて支えられている。
【図面の簡単な説明】
【０００９】
【図１】本考案の立体外観図である。
【図２】本考案の使用態様図である。
【図３】本考案の立体分解図である。
【図４】本考案の傘の使用態様図である。
【図５】本考案のステッキを傘に収納されたとき、局所の立体断面図である。
【図６】本考案のステッキの立体分解図である。
【考案を実施するための形態】
【００１０】
以下、添付図面を参照して本考案の実施の形態を詳細に説明する。
【実施例】
【００１１】
図１ないし図４を参照する。図から明かのように、本考案のステッキ傘組は、ステッキ１と傘２を備える。
【００１２】
そのうち、ステッキ１には接続部１１が設けられ、接続部１１の上方にはグリップ１２が設けられ、接続部１１の下方には支持棒１３が延在していて、接続部１１の外縁には弾性のワッシャー１４が嵌着され、かつ支持棒１３がグリップ１２から離れる他側には、第１滑り止めパッド１５が設けられている。
【００１３】
傘２はハンドル２１を有し、ハンドル２１の一側はグリップ２２を設置していて、かつハンドル２１のグリップ２２から離れる他側には、傘生地２３が設けられ、ハンドル２１及びグリップ２２の内部には収容空間２４が形成され、収容空間２４はグリップ２２の内壁に位置すると共に、ハンドル２１の遠端方向に向かってアーク面を形成して、次第に拡張され、ハンドル２１のグリップ２２から離れる他側には、さらに、第２滑り止めパッド２５が接続されている。
【００１４】
これにより、使用者はステッキ１及び傘２をそれぞれ単独に使用することができ、支えならび雨よけの機能を有する。
【００１５】
図１、３及び図５を参照する。図から明らかなように、使用者は晴天で傘２の使用が不要のときは、ステッキ１の支持棒１３を収容空間２４に収容すると共に、接続部１１の外縁のワッシャー１４をグリップ２２が位置する収容空間２４の内壁に支持せしめて、密着した組合せを形成する。このとき、使用者はステッキ１のグリップ１２を握り、傘２の第２滑り止めパッド２５を地面につき、支え効果を達成すると共に、ステッキ１と傘２とを結合し収納空間を軽減する。さらに、接続部１１の外縁のワッシャー１４と、グリップ２２に備えられる収納空間２４の内壁は、密着する組合せが形成されるため、粉塵や水分が収容空間２４の内部に侵入することによる汚れを防止できる。引き続き、図２を参照する。図２から明らかなように、使用者の歩いた道路の状況は良く、ステッキ１が不要のときは、手でステッキ１のグリップ１２を握り、傘２の傘生地２３を広げて、遮光または雨よけとして使用することができる。
【００１６】
引き続き図５と図６を参照する。図６から明らかなように、ステッキ１の接続部１１の外縁の環状部には、固定溝１１１が繞設され、ワッシャー１４を固定溝１１１の内部に固定することによって、ステッキ１の支持棒１３を収容空間２４の内部に取り付けた後、ワッシャー１４と収容空間２４の内壁に摩擦を引き起こしたとき、ワッシャー１４が滑って、接続部１１が抜け出したり、または緊密な組み合わせを失うことはない。さらに、接続部１１の外縁に備えられる固定溝１１１は、ステッキ１の支持棒１３が収容空間２４から抜け出すとき、ワッシャー１４が滑って接続部１１が抜け出すことが防止される。
【符号の説明】
【００１７】
１           ステッキ
１１       接続部
１１１   固定溝
１２       グリップ
１３       支持棒
１４       ワッシャー
１５       第１滑り止めパッド
２           傘
２１       ハンドル
２２       グリップ
２３       傘生地
２４       収容空間
２５       第２滑り止めパッド
【図１】
0003175167.tif 000003
【図２】
0003175167.tif 000004
【図３】
0003175167.tif 000005
【図４】
0003175167.tif 000006
【図５】
0003175167.tif 000007
【図６】
0003175167.tif 000008